【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
少なくとも一部が眼のシュレム管の或る部位に載置されるのに好適な構成の眼内移植片であって、前記移植片は、
湾曲した容積部の態様で延びており、前記容積部の長軸線が円弧の形状である本体部と、
前記本体部に形成された複数の開放領域と複数の支柱領域とを備えており、前記開放領域は前記湾曲した容積部を規定している表面の50％を超える領域に亘って広がっており、前記支柱領域は前記開放領域を包囲しており、
前記本体部は直径が0.005インチから0.04インチの間であることを特徴とする、眼内移植片。
【請求項２】
前記開放領域は、前記湾曲した容積部に沿って延びている第１長軸線方向区分を含んでいることを特徴とする、請求項１に記載の移植片。
【請求項３】
前記第１長軸線方向区分は前記湾曲した容積部の最大半径部位を含んでいることを特徴とする、請求項２に記載の移植片。
【請求項４】
前記開放領域においては、第２長軸線方向区分に複数の開口が形成されていることを特徴とする、請求項２に記載の移植片。
【請求項５】
前記第２長軸線方向区分に形成された開口と開口の間に複数の背骨状区分が配置されていることを特徴とする、請求項４に記載の移植片。
【請求項６】
前記第２長軸線方向区分は前記第１長軸線方向区分と対向していることを特徴とする、請求項４に記載の移植片。
【請求項７】
前記支柱領域は前記本体部の軸線方向および周方向に前記第１長軸線方向区分の一方側からその他方側まで延在していることを特徴とする、請求項４に記載の移植片。
【請求項８】
前記開放領域の具体例として、前記複数の支柱領域の相互の間に形成されている開放領域が挙げられることを特徴とする、請求項４に記載の移植片。
【請求項９】
前記移植片は形状記憶素材から前記湾曲した容積部に概ね等しい形状に形成されていることを特徴とする、請求項１に記載の移植片。
【請求項１０】
前記長軸線に直交している横断面で素材が空乏ではない率は50％未満であり、この条件は前記移植片の90％を超える領域で満たされていることを特徴とする、請求項１に記載の移植片。
【請求項１１】
前記移植片は、中心角度60度から180度の円弧に亘って延びていることを特徴とする、請求項１に記載の移植片。
【請求項１２】
前記本体部の一方端に位置して本体部と流体連絡状態にあるとともに、前記円弧を基点に内向きに延びている入口部を更に備えている、請求項１に記載の移植片。
【請求項１３】
前記入口部は、入口部と本体部とを接続する点から引かれている正接線から90度の角度で延びていることを特徴とする、請求項１２に記載の移植片。
【請求項１４】
前記入口部の長さは前記本体部の直径よりも大きいことを特徴とする、請求項１２に記載の移植片。
【請求項１５】
前記入口部はコイルとして形成されていることを特徴とする、請求項１２に記載の移植片。
【請求項１６】
前記本体部の一方端に位置している入口部を更に備えており、前記入口部は前記本体部と流体連絡状態である少なくとも１個の長軸線方向区分が設けられていることを特徴とする、請求項１に記載の移植片。
【請求項１７】
前記入口部は前記本体部と同じ円弧に沿って延在していることを特徴とする、請求項１６に記載の移植片。
【請求項１８】
前記移植片はその一方端に鈍先端部が設けられていることを特徴とする、請求項１に記載の移植片。
【請求項１９】
前記鈍先端部の中を通る管腔が形成されていることを特徴とする、請求項１８に記載の移植片。
【請求項２０】
治療剤が前記本体部上に被膜堆積されていることを特徴とする、請求項１に記載の移植片。
【請求項２１】
前記治療剤の具体例として緑内障治療薬が挙げられる、請求項２０に記載の移植片。
【請求項２２】
前記緑内障治療薬の具体例としてプロスタグラジンアナログが挙げられることを特徴とする、請求項２１に記載の移植片。
【請求項２３】
前記プロスタグラジンアナログの具体例としてラタノプロストが挙げられることを特徴とする、請求項２２に記載の移植片。
【請求項２４】
眼内移植片であって、
第１背骨状部、
第２背骨状部、
前記第１背骨状部と前記第２背骨状部との間で軸線方向Ｚに延びている第１支柱、および、
前記第１背骨状部と前記第２背骨状部との間で軸線方向Ｚに延びている第２支柱を備えており、
前記両支柱は各々の第１端縁の角度寸法θが、前記第１背骨状部から前記第２背骨状部までの間で軸線方向Ｚに支柱が進むにつれて起伏するように変動し、
前記両支柱は各々の外周面の半径ｒが、前記第１背骨状部と前記第２背骨状部との間で軸線方向Ｚに支柱が延在するどの位置でも実質的に一定であることを特徴とする、眼内移植片。
【請求項２５】
眼内移植片であって、
第１背骨状区分、
第２背骨状区分、および、
前記第１背骨状区分と前記第２背骨状区分との間で延びている第１枠を備えており、前記枠の直径は0.005インチから0.04インチの間であり、
被検体の眼のシュレム管の内側に配置されるのに好適に構成されていることを特徴とする、眼内移植片。
【請求項２６】
前記第１背骨状区分、前記第２背骨状区分、および、前記第１枠は１枚の管状壁の各部を形成していることを特徴とする、請求項２５に記載の眼内移植片。
【請求項２７】
前記両背骨状区分は各々が、１本の背骨状部だけから構成されていることを特徴とする、請求項２５に記載の眼内移植片。
【請求項２８】
前記両背骨状区分は各々の横断面の形状が弧状であることを特徴とする、請求項２５に記載の眼内移植片。
【請求項２９】
前記第１背骨状部には第１周方向張出部が設けられており、
前記第１枠には第２周方向張出部が設けられており、
前記第２周方向張出部は前記第１周方向張出部よりも大きいことを特徴とする、請求項２５に記載の眼内移植片。
【請求項３０】
前記第１枠は第１支柱および第２支柱から構成されていることを特徴とする、請求項２５に記載の眼内移植片。
【請求項３１】
前記第１枠は２本の支柱だけから構成されていることを特徴とする、請求項３０に記載の方法。
【請求項３２】
前記両支柱は各々の横断面の形状が弧状であることを特徴とする、請求項３０に記載の眼内移植片。
【請求項３３】
前記第１支柱には第１端縁が設けられていることを特徴とする、請求項３０に記載の眼内移植片。
【請求項３４】
前記第１端縁の角度寸法θは、前記第１背骨状部から前記第２背骨状部までの間で軸線方向Ｚに支柱が進むにつれて起伏するように変動することを特徴とする、請求項３３に記載の眼内移植片。
【請求項３５】
前記第１端縁の角度寸法θは、前記第１背骨状部と前記第２背骨状部との間で軸線方向Ｚに支柱が進むに従って、まず増大してから減少することを特徴とする、請求項３３に記載の眼内移植片。
【請求項３６】
前記第１端縁の半径ｒは、前記第１背骨状部と前記第２背骨状部との間で軸線方向Ｚに支柱が延在するどの位置でも実質的に一定であることを特徴とする、請求項３３に記載の眼内移植片。
【請求項３７】
前記第１端縁はその一部が前記眼内移植片の第１開口の外郭を画定していることを特徴とする、請求項３３に記載の眼内移植片。
【請求項３８】
前記第１支柱はその厚さが放射方向に実質的に一定であることを特徴とする、請求項３０に記載の眼内移植片。
【請求項３９】
前記第１支柱はその幅が周方向に沿って弧状に延びていることを特徴とする、請求項３０に記載の眼内移植片。
【請求項４０】
前記第１支柱はその長さが、前記眼内移植片の長軸線に略平行な軸線方向に延びていることを特徴とする、請求項３０に記載の眼内移植片。
【請求項４１】
前記第１背骨状区分および前記第２背骨状区分は互いに軸線方向に一列に整列していることを特徴とする、請求項３０に記載の眼内移植片。
【請求項４２】
前記第２支柱の形状は前記第１支柱の形状の鏡像であることを特徴とする、請求項３０に記載の眼内移植片。
【請求項４３】
前記第２背骨状部と第３背骨状部との間に延在している第２枠を更に備えている、請求項３０に記載の眼内移植片。
【請求項４４】
前記第１支柱の第２端縁と前記第２支柱の第２端縁は第２開口の外郭を画定していることを特徴とする、請求項３０に記載の眼内移植片。
【請求項４５】
前記第１支柱、前記第２支柱、前記第１背骨状区分、前記第２背骨状区分はいずれも一緒に円筒状容積部を画定していることを特徴とする、請求項３０に記載の眼内移植片。
【請求項４６】
前記第１支柱の前記第１端縁と前記第２支柱の前記第１端縁との間に延在して第１開口が設けられていることを特徴とする、請求項３０に記載の眼内移植片。
【請求項４７】
前記枠および前記両背骨状区分の上に治療剤が被膜堆積されていることを特徴とする、請求項２５に記載の眼内移植片。
【請求項４８】
前記治療剤の具体例として緑内障治療薬が挙げられることを特徴とする、請求項４７に記載の眼内移植片。
【請求項４９】
前記緑内障治療薬の具体例としてプロスタグラジンアナログが挙げられることを特徴とする、請求項４８に記載の眼内移植片。
【請求項５０】
前記プロスタグラジンの具体例としてラタノプロストが挙げられることを特徴とする、請求項４９に記載の眼内移植片。
【請求項５１】
眼内移植片であって、
第１背骨状部、
第２背骨状部、
第１支柱および第２支柱から成り、前記両支柱の各々が前記第１背骨状部と前記第２背骨状部との間で軸線方向Ｚに延在している第１枠、
前記第１支柱の第１端縁と前記第２支柱の第１端縁との間に延在している第１開口、および、
前記第１支柱の第２端縁と前記第２支柱の第２端縁により外郭が画定されている第２開口を備えており、
前記第１背骨状部から前記第２背骨状部までの間で軸線方向Ｚに支柱が進むにつれて、前記両支柱は各々の第１端縁の角度寸法θが起伏するように変動し、
前記両支柱は各々の外周面の半径ｒが、前記第１背骨状部と前記第２背骨状部との間の支柱の軸線方向Ｚのどの位置でも実質的に一定であることを特徴とする、眼内移植片。